(57)【特許請求の範囲】
【請求項１】
タイヤ周方向に延在する複数の周方向主溝と、タイヤ幅方向に延在する複数のラグ溝と、前記周方向主溝および前記ラグ溝に区画されて成る陸部とを備える空気入りタイヤであって、
前記ラグ溝のタイヤ周方向の断面視にて、前記ラグ溝が溝深さ方向に対して傾斜角γにて傾斜し、
１つの前記陸部における前記複数のラグ溝の傾斜角γの傾斜方向が相互に同一方向であり、
前記周方向主溝を挟んで隣り合う前記陸部のうち一方の前記陸部における前記ラグ溝の傾斜角γの傾斜方向と、他方の前記陸部における前記ラグ溝の傾斜角γの傾斜方向とが相互に逆方向であり、
前記ラグ溝の傾斜角γが５［deg］≦｜γ｜≦４５［deg］の範囲内にあり、
前記周方向主溝の溝壁角度がタイヤ周方向に向かうに連れて変化し、
前記周方向主溝の溝底が、前記周方向主溝の溝開口幅よりも狭い溝幅を有すると共にタイヤ周方向に向かってジグザグ状に延在し、
前記陸部のブロック長さが、前記周方向主溝の溝壁角度の変化の周期に対して２倍以上の整数倍であり、且つ、
前記周方向主溝の対向する溝壁がタイヤ周方向への投射図にて重複部を有することを特徴とする空気入りタイヤ。
【請求項２】
前記周方向主溝の溝壁のタイヤ周方向への投射図にて、対向する前記溝壁の重複部の面積Ｓａと総投射影面積ＳとがＳａ／Ｓ≧０．１５である請求項１に記載の空気入りタイヤ。
【請求項３】
一方の前記陸部における前記ラグ溝のタイヤ幅方向に対する傾斜角θと、他方の前記陸部における前記ラグ溝のタイヤ幅方向に対する傾斜角φとが｜θ−φ｜＜２０［deg］の関係を有する請求項１または２に記載の空気入りタイヤ。
【請求項４】
前記ラグ溝の溝深さｈがｈ≧６［ｍｍ］の範囲にある請求項１〜３のいずれか一つに記載の空気入りタイヤ。
【請求項５】
重荷重用ラジアルタイヤに適用される請求項１〜４のいずれか一つに記載の空気入りタイヤ。
【発明の詳細な説明】
【技術分野】
【０００１】
この発明は、空気入りタイヤに関し、さらに詳しくは、耐異物噛み込み性能を向上できる空気入りタイヤに関する。
【背景技術】
【０００２】
重荷重車両に装着される空気入りタイヤでは、周方向主溝に石が噛み込んで抜けなくなり、この石噛みによりタイヤの耐久性能が低下するという課題がある。このような課題に関する従来の空気入りタイヤとして、特許文献１〜４に記載される技術が知られている。
【先行技術文献】
【特許文献】
【０００３】
【特許文献１】特開平５−３３８４１３号公報
【特許文献２】特開２００２−３３７５１４号公報
【特許文献３】特開２００８−０８７６２８号公報
【特許文献４】特開２００４−１５５３８２号公報
【発明の概要】
【発明が解決しようとする課題】
【０００４】
この発明は、耐異物噛み込み性能を向上できる空気入りタイヤを提供することを目的とする。
【課題を解決するための手段】
【０００５】
上記目的を達成するため、この発明にかかる空気入りタイヤは、タイヤ周方向に延在する複数の周方向主溝と、タイヤ幅方向に延在する複数のラグ溝と、前記周方向主溝および前記ラグ溝に区画されて成る陸部とを備える空気入りタイヤであって、前記ラグ溝のタイヤ周方向の断面視にて、前記ラグ溝が溝深さ方向に対して傾斜角γにて傾斜し、１つの前記陸部における前記複数のラグ溝の傾斜角γの傾斜方向が相互に同一方向であり、前記周方向主溝を挟んで隣り合う前記陸部のうち一方の前記陸部における前記ラグ溝の傾斜角γの傾斜方向と、他方の前記陸部における前記ラグ溝の傾斜角γの傾斜方向とが相互に逆方向であり、前記ラグ溝の傾斜角γが５［deg］≦｜γ｜≦４５［deg］の範囲内にあり、前記周方向主溝の溝壁角度がタイヤ周方向に向かうに連れて変化し、前記周方向主溝の溝底が、前記周方向主溝の溝開口幅よりも狭い溝幅を有すると共にタイヤ周方向に向かってジグザグ状に延在し、前記陸部のブロック長さが、前記周方向主溝の溝壁角度の変化の周期に対して２倍以上の整数倍であり、且つ、前記周方向主溝の対向する溝壁がタイヤ周方向への投射図にて重複部を有することを特徴とする。
【０００６】
この空気入りタイヤでは、タイヤ接地時にて、隣り合う陸部がタイヤ周方向に対して相互に逆方向に倒れ込むことにより、周方向主溝の溝壁が噛み込んだ異物を押し上げて周方向主溝の外部に排出させる。これにより、タイヤの耐異物噛み込み性能が向上する利点がある。
また、この空気入りタイヤでは、傾斜角γの範囲が適正化されるので、タイヤ接地時にて、タイヤ周方向への陸部の動きが良好となる。これにより、タイヤの耐異物噛み込み性能がさらに向上する利点がある。
【０００７】
また、この発明にかかる空気入りタイヤは、前記周方向主溝の溝壁のタイヤ周方向への投射図にて、対向する前記溝壁の重複部の面積Ｓａと総投射影面積ＳとがＳａ／Ｓ≧０．１５である。
【０００８】
この空気入りタイヤでは、重複部の面積Ｓａが適正化されるので、タイヤの耐異物噛み込み性能がさらに向上する利点がある。
【００１１】
また、この発明にかかる空気入りタイヤは、一方の前記陸部における前記ラグ溝のタイヤ幅方向に対する傾斜角θと、他方の前記陸部における前記ラグ溝のタイヤ幅方向に対する傾斜角φとが｜θ−φ｜＜２０［deg］の関係を有する。
【００１２】
この空気入りタイヤでは、ラグ溝のタイヤ幅方向に対する傾斜角θ、φの関係が適正化されるので、タイヤ接地時における隣り合う陸部の倒れ込み方向がほぼ逆方向となる。これにより、タイヤの耐異物噛み込み性能が効果的に向上する利点がある。
【００１３】
また、この発明にかかる空気入りタイヤは、前記ラグ溝の溝深さｈがｈ≧６［ｍｍ］の範囲にある。
【００１４】
この空気入りタイヤでは、ラグ溝の溝深さｈが適正化されるので、タイヤ接地時における隣り合う陸部の倒れ込み作用が適正に得られる。これにより、タイヤの耐異物噛み込み性能が適正に向上する利点がある。
【００１５】
また、この発明にかかる空気入りタイヤは、重荷重用ラジアルタイヤに適用される。
【発明の効果】
【００１６】
この発明にかかる空気入りタイヤでは、タイヤ接地時にて、隣り合う陸部がタイヤ周方向に対して相互に逆方向に倒れ込むことにより、周方向主溝の溝壁が噛み込んだ異物を押し上げて周方向主溝の外部に排出させる。これにより、タイヤの耐異物噛み込み性能が向上する利点がある。
【図面の簡単な説明】
【００１７】
【図１】図１は、この発明の実施の形態にかかる空気入りタイヤのトレッド面を示す平面図である。
【図２】図２は、図１に記載した空気入りタイヤのラグ溝を示すＡ−Ａ視断面図である。
【図３】図３は、図１に記載した空気入りタイヤのラグ溝を示すタイヤ周方向のＢ−Ｂ視断面図である。
【図４】図４は、図１に記載した空気入りタイヤの周方向主溝の溝壁を示すＣ部斜視図である。
【図５】図５は、図１に記載した空気入りタイヤの周方向主溝の溝壁を示す投射図である。
【図６】図６は、図１に記載した空気入りタイヤの作用を示す説明図である。
【図７】図７は、図１に記載した空気入りタイヤの作用を示す説明図である。
【図８】図８は、図１に記載した空気入りタイヤのラグ溝の変形例を示す説明図である。
【図９】図９は、図１に記載した空気入りタイヤの変形例を示す説明図である。
【図１０】図１０は、この発明の実施の形態にかかる空気入りタイヤの性能試験の結果を示す表である。
【発明を実施するための形態】
【００１８】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１９】
［空気入りタイヤ］
図１は、この発明の実施の形態にかかる空気入りタイヤのトレッド面を示す平面図である。
【００２０】
この空気入りタイヤ１は、タイヤ周方向に延在する複数の周方向主溝２１、２２と、タイヤ幅方向に延在するラグ溝３１、３２と、これらの周方向主溝２１、２２およびラグ溝３１、３２に区画されて成る陸部４１、４２とをトレッド部に備える（図１参照）。例えば、この実施の形態では、タイヤ赤道線ＣＬ上の周方向主溝２１を中心として、３本の周方向主溝２１、２２が形成されている。また、タイヤ幅方向に延在してこれらの周方向主溝２１、２２に開口する複数のラグ溝３１、３２が形成されている。そして、これらの周方向主溝２１、２２およびラグ溝３１、３２により４列の陸部（ブロック列）４１、４２が区画されている。また、タイヤ赤道線ＣＬを中心とした左右対称なトレッドパターンが形成されている。
【００２１】
なお、この実施の形態では、タイヤ幅方向の最も外側にある周方向主溝２２、２２を境界としてトレッド部のタイヤ幅方向内側にある陸部４１をセンター陸部と呼び、タイヤ幅方向外側にある陸部４２をショルダー陸部と呼ぶ。また、周方向主溝２１、２２とは、溝幅６［ｍｍ］以上かつ溝深さが最も深い位置で１０［ｍｍ］以上となる周方向溝をいうものとする。
【００２２】
［石噛み抑制構造］
図２および図３は、図１に記載した空気入りタイヤのラグ溝を示すＡ−Ａ視断面図（図２）およびＢ−Ｂ視断面図（図３）である。これらの図は、周方向主溝を挟んで隣り合う陸部のラグ溝をそれぞれ示している。図４は、図１に記載した空気入りタイヤの周方向主溝の溝壁を示すＣ部斜視図である。同図は、タイヤ周方向に変化する溝壁角度の単位周期あたりの様子を示している。図５は、図１に記載した空気入りタイヤの周方向主溝の溝壁を示す投射図である。
【００２３】
この空気入りタイヤ１は、周方向主溝２１、２２における石噛みを抑制するために、以下の構造を備える（図１〜図５参照）。
【００２４】
まず、ラグ溝３１、３２のタイヤ周方向の断面視にて、ラグ溝３１、３２が溝深さ方向に対して傾斜角γにて傾斜する（図１〜図３参照）。また、周方向主溝２１（２２）を挟んで隣り合う陸部４１、４１（４１、４２）のうち、一方の陸部４１におけるラグ溝３１の傾斜角γと、他方の陸部４１（４２）におけるラグ溝３１（３２）の傾斜角γとが相互に逆方向（異符号）となる。また、この周方向主溝２１（２２）の溝壁角度がタイヤ周方向に向かうに連れて変化する（図１および図４参照）。また、これらの陸部４１、４１（４１、４２）に挟まれた周方向主溝２１（２２）の左右の溝壁が、タイヤ周方向への投射図にて重複部（面積Ｓａ）を有する（図５参照）。
【００２５】
例えば、この実施の形態では、左右一対のセンター陸部４１、４１およびショルダー陸部４２、４２が、それぞれ複数のラグ溝３１、３２を有している（図１〜図３参照）。また、これらのラグ溝３１、３２がタイヤ周方向に対して所定の傾斜角にて傾斜しつつ各陸部４１、４２を横断している。また、図１の左側のショルダー陸部４２および右側のセンター陸部４１では、ラグ溝３２、３１が溝深さ方向に対してタイヤ周方向かつ一方向（図１の下側）に傾斜している。一方、図１の左側のセンター陸部４１および右側のショルダー陸部４２では、ラグ溝３１、３２が溝深さ方向に対してタイヤ周方向かつ他方向（図１の上側）に傾斜している。これにより、周方向主溝２１（２２）を挟んで隣り合う陸部４１、４１（４１、４２）のラグ溝３１、３１（３１、３２）が、相互に逆方向に傾斜している（周方向主溝２１、２２を跨ぐたびに傾斜角γの向きを反転させている）。
【００２６】
また、周方向主溝２１、２２の溝底が、溝開口幅よりも狭い溝幅を有し、タイヤ周方向に向かってジグザグ状に延在している（図１および図４参照）。また、かかる立体的な溝壁面により、周方向主溝２１、２２の溝壁角度がタイヤ周方向に向かうに連れて変化している。また、一方の陸部４１側にある周方向主溝２１（２２）の溝壁と、他方の陸部４１（４２）側にある周方向主溝２１（２２）の溝壁とが、タイヤ周方向への投射図にて、周方向主溝２１（２２）の最大溝深さ位置に重複部を有している（図５参照）。
【００２７】
また、この実施の形態では、周方向主溝２１、２２がストレート溝である（図１参照）。しかし、これに限らず、周方向主溝２１、２２がジグザグ溝であっても良い（図９参照）。
【００２８】
なお、周方向主溝２１、２２の溝底における溝幅Ｄは、Ｄ＞０［ｍｍ］である。これにより、溝底におけるクラックの発生が抑制される。
【００２９】
なお、ラグ溝の傾斜角γとは、タイヤが規定リムに装着されて規定内圧を付与されると共に無負荷状態とされたときの、ラグ溝の溝深さ方向の進展角度であり、以下のように定義される（図２および図３参照）。まず、ラグ溝のタイヤ周方向の断面視にて、ラグ溝の溝開口幅の中点と、最大溝深さ位置（溝底幅の中点）とを結ぶ直線を引く。そして、この直線と、溝深さ方向（陸部の踏面に対する法線）とのなす角を傾斜角γとする。この傾斜角γは、ラグ溝の溝壁面が溝深さ方向に屈曲する構成（図８参照）においても、同様に定義される。また、ラグ溝の傾斜角γがラグ溝の溝長さ方向に向かうに連れて変化する構成（図示省略）では、傾斜角γがラグ溝の溝長さの全域における平均値として算出される。
【００３０】
また、周方向主溝の溝壁角度とは、タイヤ子午線方向の断面視にて、周方向主溝の溝壁面と溝深さ方向とのなす角をいうものとする。また、タイヤ周方向への投射図における周方向主溝の溝壁の重複部の有無は、接地長あたりの投射図に基づいて判断される。ここで、タイヤの接地長とは、タイヤが規定リムに装着されて規定内圧を付与されると共に静止状態にて平板に対して垂直に置かれて規定荷重に対応する負荷を加えられたときのタイヤと平板との接触面におけるタイヤ周方向の長さをいう。
【００３１】
なお、規定リムとは、ＪＡＴＭＡに規定される「適用リム」、ＴＲＡに規定される「Design Rim」、あるいはＥＴＲＴＯに規定される「Measuring Rim」をいう。また、規定内圧とは、ＪＡＴＭＡに規定される「最高空気圧」、ただし、乗用車用タイヤの場合には、規定内圧が空気圧１８０［ｋＰａ］であり、規定荷重が最大負荷能力の８８［％］である。ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、規定荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。
【００３２】
図６および図７は、図１に記載した空気入りタイヤの作用を示す説明図である。これらの図において、図６の矢印は、タイヤ接地時における陸部４１、４２の倒れ込み方向を示している。また、図７は、周方向主溝２１（２２）に噛み込んだ異物Ｘ（例えば、小石）が排出される様子を示している。
【００３３】
この空気入りタイヤ１では、タイヤ転動時にて陸部４１、４２に接地圧が作用すると、隣り合う陸部４１、４１（４１、４２）のラグ溝３１、３１（３１、３２）が逆方向の傾斜角γを有するので、隣り合う陸部４１、４１（４１、４２）がタイヤ周方向に対して相互に逆方向に倒れ込む（図６参照）。すると、周方向主溝２１（２２）の溝壁が、この隣り合う陸部４１、４１（４１、４２）の動きに連動してタイヤ周方向かつ相互に逆方向に変位する。すると、周方向主溝２１（２２）がタイヤ周方向に向かうに連れて変化する溝壁角度を有するので、対向する溝壁が溝幅を溝底側から溝開口部側に向かって絞り込むように変位する（図７参照）。これにより、対向する溝壁が噛み込んだ異物Ｘを押し上げて、周方向主溝２１（２２）の外部に排出させる。
【００３４】
なお、この空気入りタイヤ１では、周方向主溝２１（２２）の溝壁のタイヤ周方向への投射図にて、対向する溝壁の重複部の面積Ｓａと総投射影面積ＳとがＳａ／Ｓ≧０．１５の関係を有することが好ましく、さらに、Ｓａ／Ｓ≧０．２５の関係を有することが好ましい（図５参照）。これにより、重複部の面積Ｓａが適正化される。
【００３５】
ここで、総投射影面積Ｓは、対向する陸部のエッジ部を結んだ直線（陸部の踏面の延長線）と、対向する陸部のエッジ部からそれぞれ引いた陸部の踏面に対する垂線と、溝底を通り陸部の踏面に平行な直線とに囲まれる領域の面積をいう（図５参照）。なお、重複部の面積Ｓａおよび総投射影面積Ｓは、周方向主溝２１、２２がタイヤ周方向に屈曲あるいは湾曲しつつ延在する構成においても、同様に定義される（図９参照）。また、Ｓａ／Ｓの上限値は、ストレート溝であれば、Ｓａ／Ｓ＝０．２５であり、振幅の大きなジグザグ溝であれば、最大Ｓａ／Ｓ＝１．０となる。
【００３６】
また、この空気入りタイヤ１では、ラグ溝３１、３２の傾斜角γが５［deg］≦｜γ｜≦４５［deg］の範囲内にあることが好ましく、さらに、１５［deg］≦｜γ｜≦２５［deg］の範囲内にあることが好ましい（図２および図３参照）。これにより、ラグ溝３１、３２の傾斜角γが適正化される。
【００３７】
また、この空気入りタイヤ１では、周方向主溝２１（２２）を挟んで隣り合う陸部４１、４１（４１、４２）のうち、一方の陸部４１におけるラグ溝３１のタイヤ幅方向に対する傾斜角θと、他方の陸部４１（４２）におけるラグ溝３１（３２）のタイヤ幅方向に対する傾斜角φとが｜θ−φ｜＜２０［deg］の関係を有することが好ましく、さらに、｜θ−φ｜＝０［deg］であることがより好ましい。これにより、ラグ溝３１、３２のタイヤ幅方向に対する傾斜角θ、φが適正化される。
【００３８】
また、この空気入りタイヤ１では、ラグ溝３１、３２の溝深さｈがｈ≧６［ｍｍ］の範囲にあることが好ましく、さらに、ｈ≧８［ｍｍ］の範囲にあることが好ましい（図２および図３参照）。これにより、ラグ溝３１、３２の溝深さｈが適正化される。なお、溝深さｈの上限は、トレッド部の溝下ゲージに依存する。
【００３９】
また、この実施の形態では、周方向主溝２１、２２がストレート溝であり、これらの周方向主溝２１、２２の溝壁角度がタイヤ周方向に向かうに連れて変化している（図１参照）。このとき、陸部４１のブロック長さが、周方向主溝２１、２２の溝壁角度の変化の周期の整数倍（２倍以上）となることが好ましい。例えば、図１に示す構成では、周方向主溝２１、２２の溝壁角度の２周期と、陸部４１のブロック長さとが一致するように構成されている。かかる構成では、周方向主溝２１（２２）を挟む陸部４１、４１（４１、４２）のラグ溝３１、３１（３１、３２）の開口部と、周方向主溝２１、２２の溝壁角度の変化の節とを容易に一致させ得る。これにより、ラグ溝３１、３１（３１、３２）の排水性を向上させ得る。なお、陸部４１のブロック長さがタイヤ周方向に変化する構成では、この変化にあわせて、周方向主溝２１、２２の溝壁角度の変化の周期が変化しても良い。
【００４０】
［効果］
以上説明したように、この空気入りタイヤ１では、ラグ溝３１、３２のタイヤ周方向の断面視にて、ラグ溝３１、３２が溝深さ方向に対して傾斜角γにて傾斜する（図１参照）。このとき、周方向主溝２１（２２）を挟んで隣り合う陸部４１、４１（４１、４２）のうち、一方の陸部４１におけるラグ溝３１の傾斜角γと、他方の陸部４１（４２）におけるラグ溝３１（３２）の傾斜角γとが相互に逆方向（異符号）となる（図２および図３参照）。また、この周方向主溝２１（２２）の溝壁角度がタイヤ周方向に向かうに連れて変化する（図１および図４参照）。また、これらの陸部４１、４１（４１、４２）に挟まれた周方向主溝２１（２２）の左右の溝壁が、タイヤ周方向への投射図にて重複部を有する（図５参照）。
【００４１】
かかる構成では、タイヤ接地時にて、隣り合う陸部４１、４１（４１、４２）がタイヤ周方向に対して相互に逆方向に倒れ込むことにより、周方向主溝２１（２２）の溝壁が噛み込んだ異物Ｘを押し上げて周方向主溝２１（２２）の外部に排出させる（図６および図７参照）。これにより、タイヤの耐異物噛み込み性能が向上する利点がある。
【００４２】
また、この空気入りタイヤ１では、周方向主溝２１（２２）の溝壁のタイヤ周方向への投射図にて、対向する溝壁の重複部の面積Ｓａと総投射影面積ＳとがＳａ／Ｓ≧０．１５の関係を有する（図５参照）。かかる構成では、重複部の面積Ｓａが適正化されるので、タイヤの耐異物噛み込み性能がさらに向上する利点がある。例えば、Ｓａ／Ｓ＜０．１５では、耐異物噛み込み性能が十分に得られないため、好ましくない。
【００４３】
また、この空気入りタイヤ１では、ラグ溝３１、３２の傾斜角γが５［deg］≦｜γ｜≦４５［deg］の範囲内にある（図２および図３参照）。かかる構成では、傾斜角γの範囲が適正化されるので、タイヤ接地時にて、タイヤ周方向への陸部４１、４２の動きが良好となる。これにより、タイヤの耐異物噛み込み性能がさらに向上する利点がある。例えば、｜γ｜＜５［deg］では、タイヤ接地時にて、タイヤ周方向への陸部の変動が小さくなり、耐異物噛み込み性能が十分に得られないため、好ましくない。また、４５［deg］＜｜γ｜では、陸部の変動が大きくなり偏摩耗（例えば、ヒールアンドトゥ摩耗）が発生するおそれがあり、好ましくない。
【００４４】
なお、ラグ溝３１、３２の傾斜角γがラグ溝３１、３２の溝長さ方向に向かう途中で反転する構成（図示省略）では、ラグ溝３１、３２の溝長さの５０％以上の領域にて、隣り合う陸部４１、４２のラグ溝３１、３２が上記した所定方向に傾斜することが好ましい。これにより、タイヤ接地時における隣り合う陸部４１、４２の倒れ込み方向が相互に逆方向となるので、タイヤの耐異物噛み込み性能が適正に向上する利点がある。
【００４５】
また、この空気入りタイヤ１では、周方向主溝２１（２２）を挟んで隣り合う陸部４１、４１（４１、４２）のうち、一方の陸部４１におけるラグ溝３１のタイヤ幅方向に対する傾斜角θと、他方の陸部４１（４２）におけるラグ溝３１（３２）のタイヤ幅方向に対する傾斜角φとが｜θ−φ｜＜２０［deg］の関係を有する。かかる構成では、ラグ溝３１、３２のタイヤ幅方向に対する傾斜角θ、φの関係が適正化されるので、タイヤ接地時における隣り合う陸部４１、４１（４１、４２）の倒れ込み方向がほぼ逆方向となる。これにより、タイヤの耐異物噛み込み性能が効果的に向上する利点がある。例えば、２０［deg］≦｜θ−φ｜となると、タイヤ接地時における隣り合う陸部の倒れ込み方向が逆方向とならないため、周方向主溝の溝壁の動作が小さくなる。すると、耐異物噛み込み性能が十分に得られないため、好ましくない。
【００４６】
また、上記の構成では、ラグ溝３１、３２の傾斜角θ、φが１０≦θ≦４０、１０≦φ≦４０の範囲内にあることが好ましく、１５≦θ≦３０、１５≦φ≦３０の範囲内にあることがより好ましい。かかる構成では、ラグ溝３１、３２がタイヤ周方向に対して適正な傾斜角θ、φを有するので、タイヤ接地時にて陸部４１、４２が倒れ込んだときに、周方向主溝２１（２２）の対向する溝壁面が溝形状を捻り込むように変位する。すると、噛み込んだ異物が溝壁面に押し出されて排出され易くなる。これにより、タイヤの耐異物噛み込み性能が効果的に向上する利点がある。
【００４７】
また、この空気入りタイヤ１では、ラグ溝３１、３２の溝深さｈがｈ≧６［ｍｍ］の範囲にある（図２および図３参照）。かかる構成では、ラグ溝３１、３２の溝深さｈが適正化されるので、タイヤ接地時における隣り合う陸部４１、４２の倒れ込み作用が適正に得られる。これにより、タイヤの耐異物噛み込み性能が適正に向上する利点がある。例えば、ｈ＜６［ｍｍ］となると、タイヤ接地時における隣り合う陸部４１、４２の倒れ込み量が小さくなり、耐異物噛み込み性能が十分に得られないため、好ましくない。
【００４８】
［適用対象］
また、この空気入りタイヤ１は、重荷重用ラジアルタイヤを適用対象とすることが好ましい。重荷重用ラジアルタイヤでは、周方向主溝における異物の噛み込みが発生し易い傾向にある。したがって、重荷重用ラジアルタイヤを適用対象とすることにより、タイヤの耐異物噛み込み性能がより顕著に向上する利点がある。
【００４９】
［性能試験］
この実施の形態では、条件が異なる複数の空気入りタイヤについて、耐異物噛み込み性能に関する性能試験が行われた（図１０参照）。この性能試験では、タイヤサイズ１１／Ｒ２２．５の空気入りタイヤがＪＡＴＭＡ規定の適用リムに組み付けられ、この空気入りタイヤにＪＡＴＭＡ規定の規定内圧および規定荷重が負荷される。また、８本の空気入りタイヤが２−ＤＤ方式の試験車両のドライブ軸に装着される。そして、試験車両が所定のテストコースを走行した後に、周方向主溝に噛み込んだ石の個数が測定される。そして、この測定結果に基づいて、従来例１を基準（１００）とした指数評価が行われる。この指数評価は、数値が大きいほど好ましい。
【００５０】
従来例１は、周方向主溝がストレート溝であり、また、ラグ溝が溝深さ方向に対して傾斜していない（傾斜角γ＝０）。また、周方向主溝の溝壁角度がタイヤ周方向全周に渡って一定である。このため、周方向主溝の左右の溝壁が、タイヤ周方向への投射図にて重複しない（Ｓａ／Ｓ＝０）。
【００５１】
従来例２は、周方向主溝がストレート溝であり、また、ラグ溝が溝深さ方向に対して傾斜していない（傾斜角γ＝０）。また、周方向主溝の溝壁角度がタイヤ周方向に向かうに連れて変化している。このため、周方向主溝の左右の溝壁が、タイヤ周方向への投射図にて重複部を有している（Ｓａ／Ｓ＝０．２０）。
【００５２】
比較例は、周方向主溝がストレート溝である。また、周方向主溝を挟んで隣り合う陸部のラグ溝がタイヤ周方向に対して相互に逆方向に傾斜している（傾斜角｜γ｜＝２０［deg］）。また、周方向主溝の溝壁角度がタイヤ周方向全周に渡って一定である。このため、周方向主溝の左右の溝壁が、タイヤ周方向への投射図にて重複しない（Ｓａ／Ｓ＝０）。
【００５３】
従来例３は、周方向主溝がジグザグ溝であり、また、ラグ溝が溝深さ方向に対して傾斜していない（傾斜角γ＝０）。また、周方向主溝の溝壁角度がタイヤ周方向全周に渡って一定である。ただし、周方向主溝がジグザグ溝なので、周方向主溝の左右の溝壁が、タイヤ周方向への投射図にて重複部を有している（Ｓａ／Ｓ＝０．４０）。
【００５４】
実施例１〜実施例７は、図１に記載した空気入りタイヤ１であり、周方向主溝２１、２２がストレート溝である。これらの実施例１〜実施例７では、周方向主溝２１（２２）を挟んで隣り合う陸部４１、４１（４１、４２）のラグ溝３１、３１（３１、３２）がタイヤ周方向に対して相互に逆方向かつ傾斜角γにてに傾斜している（図２および図３参照）。また、この周方向主溝２１（２２）の溝壁角度がタイヤ周方向に向かうに連れて変化している（図１および図４参照）。また、これらの陸部４１、４１（４１、４２）に挟まれた周方向主溝２１（２２）の左右の溝壁が、タイヤ周方向への投射図にて重複部（面積Ｓａ）を有している（図５参照）。
【００５５】
また、実施例８は、図１０に記載した空気入りタイヤ１であり、周方向主溝２１、２２がジグザグ溝である。この実施例８において、周方向主溝２１、２２およびラグ溝３１、３２の構成は、実施例１〜実施例７の空気入りタイヤ１と同じである。
【００５６】
試験結果に示すように、実施例１と従来例１〜３とを比較すると、実施例１の空気入りタイヤ１では、タイヤの耐異物噛み込み性能が向上することが分かる。また、実施例１と従来例２および比較例とを比較すると、周方向主溝２１（２２）を挟んで隣り合う陸部４１、４１（４１、４２）におけるラグ溝３１、３１（３１、３２）のタイヤ周方向に対する傾斜角γを逆方向とし、同時に、周方向主溝２１、２２の溝壁角度を変化させることにより、タイヤの耐異物噛み込み性能が飛躍的に向上することが分かる。
【００５７】
また、実施例１、２を比較すると、重複部の面積Ｓａを適正化することにより、タイヤの耐異物噛み込み性能がさらに向上することが分かる。また、実施例１、３、４を比較すると、傾斜角γの範囲を適正化することにより、タイヤの耐異物噛み込み性能がさらに向上することが分かる。また、実施例１、５、６を比較すると、ラグ溝３１、３２のタイヤ幅方向に対する傾斜角θ、φの関係が適正化されることにより、タイヤの耐異物噛み込み性能が効果的に向上することが分かる。また、実施例１、７を比較すると、ラグ溝３１、３２の溝深さｈが適正化されることにより、タイヤの耐異物噛み込み性能が効果的に向上することが分かる。
【００５８】
また、実施例８と従来例３とを比較すると、周方向主溝２１（２２）がジグザグ溝である場合（図９参照）にも、周方向主溝２１（２２）を挟んで隣り合う陸部４１、４１（４１、４２）におけるラグ溝３１、３１（３１、３２）のタイヤ周方向に対する傾斜角γを逆方向とし、また、周方向主溝２１（２２）の溝壁角度を変化させることにより、タイヤの耐異物噛み込み性能が飛躍的に向上することが分かる。
【産業上の利用可能性】
【００５９】
以上のように、この発明にかかる空気入りタイヤは、タイヤの耐異物噛み込み性能を向上できる点で有用である。
【符号の説明】
【００６０】
１         空気入りタイヤ
２１、２２       周方向主溝
３１、３２       ラグ溝
４１     センター陸部
４２     ショルダー陸部
Ｘ         異物
【図１】
0005750873.tif 000002
【図２】
0005750873.tif 000003
【図３】
0005750873.tif 000004
【図４】
0005750873.tif 000005
【図５】
0005750873.tif 000006
【図６】
0005750873.tif 000007
【図７】
0005750873.tif 000008
【図８】
0005750873.tif 000009
【図９】
0005750873.tif 000010
【図１０】
0005750873.tif 000011